(57)【要約】【課題】厚さに対応できる表紙を備えたノート類を提供する。【解決手段】貼り込み式ノート類１は、表表紙11、裏表紙12、台紙14から構成される。表表紙11は主部11a、延長部11bからなり、延長部11bは主部11aに対して折れ目11cを境に連続して設けられている。主部11aの背13に近い部分、及び折れ目11c側の延長部11bに、３条以上の筋目加工がなされている。これら筋目は、筋目にそって表表紙内側に折り込むことができる。台紙14に領収書等が貼られ厚くなっても、台紙14の厚さに応じて主部11aの筋目15aの箇所を折り込み、表紙を厚さに調整する。延長部11bの筋部15ｂの箇所を台紙14の厚さに応じて折り曲げた後、延長部11bの端部16を、裏表紙に形成された型抜き部17の切れ目に挿入する。【選択図】図１
0003124722.tif 000002
【実用新案登録請求の範囲】
【請求項１】
表表紙、裏表紙および台紙を備えた貼りこみ式ノート類の表紙において、
前記表表紙は、横方向に裏表紙より大きく形成され、裏表紙の横方向長さより短い部分で縦方向に折れ目が形成されているとともに、背に近い部分及び前記折れ目に近い部分に筋押し加工がなされており、
前記裏表紙には前記表表紙の端部と係合可能な型抜き部が形成されている貼りこみ式ノート類の表紙。
【請求項２】
前記型抜き部の形状が、複数の円弧、多角形の辺、又はこれらの組み合わせのいずれかからなることを特徴とする請求項１記載の貼りこみ式ノート類の表紙。
【請求項３】
前記筋押し加工による筋の数は、３以上であることを特徴とする請求項１又は２記載の貼り込み式ノート類の表紙。
【請求項４】
前記筋押し加工は、表紙全体にわたって形成されていることを特徴とする請求項１又は２記載の貼り込み式ノート類の表紙。
【考案の詳細な説明】
【技術分野】
【０００１】
本考案は、スクラップ、家計簿、写真等の貼りこむ形式のノート類、特にその表紙に関するものである。
【背景技術】
【０００２】
従来、ファイル類として、挟まれる書類の厚さに応じて背表紙の部分に形成された切り目を折り曲げ、背表紙部の厚さを変えることが可能なものがある（例えば、参考文献１参照）
（参考文献１）特開平6−99691号公報
【考案の開示】
【考案が解決しようとする課題】
【０００３】
しかし、従来のものは、粘着層や剥離紙を備え、使用の際に剥離紙をはがして使用しなければならず、また、その製造が面倒である。
本考案は、このような問題点を解決するために案出されたものであり、台紙の厚さが厚くなっても対応できるノート類の表紙を提供することを目的とするものである。
【課題を解決するための手段】
【０００４】
前記目的を達成するために、本考案の貼りこみ式ノート類の表紙は、表表紙、裏表紙および台紙を備えた貼りこみ式ノート類の表紙において、前記表表紙は、横方向に裏表紙より大きく形成され、裏表紙の横方向長さより短い部分で縦方向に折れ目が形成されているとともに、背に近い部分及び前記折れ目に近い部分に数条の筋押し加工がなされており、前記裏表紙には前記表表紙の端部と係合可能な型抜き部が形成されていることを特徴とする。
【０００５】
なお、本考案において、「ノート類」とは、あらゆる製本綴じ（ノート製本、平ミシン綴じ、中綴じ、中ミシン綴じ、無線綴じ、アジロ綴じ、かがり綴じ、リング綴じ等）で作成される厚さ調整のできるノート、写真アルバム、スクラップブック、書籍等を総称した概念として用いられている。
【０００６】
また、本考案は、前記型抜き部の形状が、複数の円弧、あるいは三角形の二辺、台形の三辺等、すなわち多角形の辺、又は、これらの組み合わせのいずれかからなることを特徴とする。
【０００７】
また、本考案において、前記筋押し加工による筋の数は、３以上であることを特徴とする。筋押し加工による筋の数は、２の場合は従来の加工でも通常、設けられるので、本考案は３以上である。また、筋押し加工は、表紙全体にわたって形成されてもよい。
【考案の効果】
【０００８】
本考案は、例えば領収書、写真、スクラップ、メモ等の紙片等が貼られた台紙が増加しても、その厚さに応じて、表表紙の筋目に沿って折り込むことにより、背の厚さを変えられるとともに、表表紙の延長部分の端部を裏表紙の型抜き部に係合させて、１冊の本のようにし、そのまま書棚に収納することもできる。
【考案を実施するための最良の形態】
【０００９】
以下に、本考案の実施形態を説明する。
図１において、本考案の貼り込み式ノート類１は、主として表表紙１1、裏表紙12、台紙14から構成される。表紙である表表紙1と裏表紙12とは背13で結合されており、台紙14は背13に綴じられている。表表紙11は主部11a、延長部11bから構成されており、延長部11bは主部11aに対して、折れ目11cを境に連続して設けられており、表表紙11の長さは、後述のように裏表紙12のそれよりも長くされている。
【００１０】
図１（Ａ）、（Ｂ）に示すように、主部11aの背に近い部分、及び折れ目11c側の延長部11bには、数条の筋目加工がなされている。これら筋目は、後述のように筋目にそって表表紙内側に折り込むことができ、その場合、折れ目11ｃと、綴じ部１８との間には、間隔ｄ１があけられる。上記筋目は３条以上、望ましくは、８条〜１０条程度であれば十分であるが、必要に応じてそれ以上、形成してもかまわない。例えば、表紙全面に筋目が入れられてもよい。
【００１１】
図１（Ｃ）に示すように、裏表紙には型抜き部17が切り込み、形成される。ここでは、型抜き部の形状が、円弧形状に型抜きされているが、任意の形状、たとえば、三角形の二辺、四角形の三辺等、多角形の辺からなってもよい。また、これら形状の組み合わせでもよい。
【００１２】
図２は、本考案の貼り込み式ノート類を開いた平面図において、各部分の幅方向の大きさを示している。表表紙11の主部11aの、横方向の長さＬ1は、裏表紙12および台紙14の横方向の長さＬ2に対し、Ｌ2−Ｌ1＝d1(図1（Ｂ）に示す)の大きさとされる。
【００１３】
また、図２に示すように、表表紙11の延長部11bは、主部11aに対して折れ目11cを介して連続して設けられ、その横方向の長さはＬ3である。横方向の長さＬ３は、主部１１aの横方向の長さＬ1、裏表紙12および台紙14の横方向の長さＬ2に対して、Ｌ2＞Ｌ1＞Ｌ3の関係にある。
したがって、図３に示すように、主部11aに対して折れ目11cで内側に延長部11bをたたんだとき、延長部11bの端部16は、綴じ部18に対して間隔ｄ2（Ｌ1−Ｌ3＝ｄ2）だけあいている。ｄ2は、ｄ１（図１（Ｂ））に対して、ｄ2＞ｄ1である。
【００１４】
図４は、本発明の貼り込み式ノート類の使用状態を示し、台紙14に例えば領収書が貼られた状態を示している。このような場合、領収書が貼られた台紙14の厚さに応じて主部11aの筋目15aの箇所を折り込み、表紙を厚さに調整する。そして、延長部11bの筋部15ｂの箇所をやはり台紙14の厚さに応じて折り曲げた後、延長部11bの端部16を型抜き部17の切れ目に挿入することにより、図５のように台紙14部分を覆うことができる。したがって、貼られた台紙の厚さに応じて、表紙の長さの調整が簡単にでき、表表紙を裏表紙と係合させると、一冊の本のようになり、持ち運びや収納が容易となる。
【図面の簡単な説明】
【００１５】
【図１】本考案の、貼り込み式ノート類の表紙の使用前を示し、（Ａ）は全体の斜視図であり、（Ｂ）は表表紙の延長部がたたまれたノート類の表表紙側を示す図であり、（Ｃ）はノート類の裏表紙側を示す図である。
【図２】本考案の、貼り込み式ノート類の表紙を開いた平面図である。
【図３】本考案の、貼り込み式ノート類の表表紙の延長部を内側に折り目に沿って折り込んだ図である。
【図４】本考案の、貼り込み式ノート類の表紙の使用状態を側面から見た図である。
【図５】本考案の、貼り込み式ノート類の表紙の使用状態を示す斜視図である。
【符号の説明】
【００１６】
・  表表紙
11a  主部
11b  延長部
11c  折れ目
・  裏表紙
・  背
・  台紙
15a  、15b  筋目
【図１】
0003124722.tif 000003
【図２】
0003124722.tif 000004
【図３】
0003124722.tif 000005
【図４】
0003124722.tif 000006
【図５】
0003124722.tif 000007